(57)【要約】【課題】曝気状態から逆洗状態への切り替えの設定値の設定を容易にする。【解決手段】浄化槽用エアポンプ１を制御するための当該エアポンプ制御装置１０は、浄化槽用エアポンプ１の曝気状態と逆洗状態との切替条件を決める複数のプログラムをメモリ１６に記憶しており、操作部１２を操作して任意のプログラムを選択できる。各プログラムはそれぞれ異なる浄化槽に対応付けられ、各プログラムの設定値は対応付けられた浄化槽に合わせた規定値に予め設定されている。プログラムのうちの幾つかは設定値を変更することが出来る可変プログラムとなっており、操作部１２を操作して各設定値を任意の値に変更することができる。【選択図】図２
2019013884.tif 000002
【特許請求の範囲】
【請求項１】
曝気用吐出口及び逆洗用吐出口を有し、該曝気用吐出口から空気を吐出する曝気状態と該逆洗用吐出口から空気を吐出する逆洗状態とを切り替え可能とされた浄化槽用エアポンプを制御するためのエアポンプ制御装置であって、
浄化槽用エアポンプの曝気状態と逆洗状態との切替条件を決める複数のプログラムを記憶している記憶手段であって、各プログラムがそれぞれ異なる浄化槽に対応付けられ、各プロブラムの設定値が対応付けられた浄化槽に合わせた規定値にそれぞれ予め設定されていて、該複数のプログラムには予め設定されていた設定値を変更することができる複数の可変プログラムが含まれる、記憶手段と、
各可変プログラムにおける該設定値のうちの曝気状態から逆洗状態に切り替える時刻を設定するための時刻設定値及び逆洗状態を維持する時間を設定するための時間設定値を変更する設定変更手段と、
該記憶手段に記憶されている該複数のプログラムの中から任意のプログラムを選択するプログラム選択手段と、
該プログラム選択手段によって選択されたプログラムに従って曝気状態と逆洗状態とを切り替えるように浄化槽用エアポンプを制御する制御手段と、
を備える、エアポンプ制御装置。
【請求項２】
各可変プログラムにおける該設定値のうちの曝気状態から逆洗状態に切り替える１日あたりの回数を設定するための回数設定値が、該設定変更手段によって変更可能とされた、請求項１に記載のエアポンプ制御装置。
【請求項３】
該複数のプログラムには、設定値が固定されていて予め設定されている規定値から変更できないようにされた少なくとも１つの固定プログラムが含まれる、請求項１又は２に記載のエアポンプ制御装置。
【請求項４】
該設定変更手段によって変更された該複数の可変プログラムの該設定値を予め設定されていた規定値に戻すリセット手段をさらに備える、請求項１乃至３の何れか一項に記載のエアポンプ制御装置。
【請求項５】
曝気用吐出口及び逆洗用吐出口を有し、該曝気用吐出口から空気を吐出する曝気状態と該逆洗用吐出口から空気を吐出する逆洗状態とを切り替え可能とされた浄化槽用エアポンプであって、請求項１乃至４の何れか一項に記載のエアポンプ制御装置を備える、浄化槽用エアポンプ。
【発明の詳細な説明】
【技術分野】
【０００１】
本発明は、浄化槽に空気を送り込むための浄化槽用エアポンプ及びそれを制御するためのエアポンプ制御装置に関する。
【背景技術】
【０００２】
生活排水を処理するための浄化槽は一般に、堆積物除去槽、嫌気ろ床槽、接触曝気槽などの複数の槽を排水が通過する過程で微生物が排水中の有機物を分解することにより排水を浄化するようになっている。特に接触曝気槽には接触材に付着した好気性微生物がおり、好気性微生物によって有機物を分解するようになっている。好気性微生物は十分な酸素がある環境下において繁殖し高い分解能力を発揮するため、接触曝気槽には常に空気を送り込んで曝気をする必要がある。一方で接触材に好気性微生物が大量に付着し過ぎると浄化槽の処理能力が落ちてしまうため、接触曝気槽に異なる位置から空気を送り込んで接触材に付着し過ぎた好気性微生物を接触材から剥離させる逆洗を定期的に行なう必要がある。そのため、浄化槽に空気を送り込むための浄化槽用エアポンプは、曝気用吐出口と逆洗用吐出口とを備え、曝気を行うために曝気用吐出口から浄化槽に空気を送り込む曝気状態と、逆洗を行なうために逆洗用吐出口から浄化槽に空気を送り込む逆洗状態とを定期的に自動で切り替えるようになっている（特許文献１、２）。
【０００３】
逆洗は、汚水があまり多く排水されない時間帯に行なわれるのが好ましいため、深夜の２時から４時頃に行なうようにすることが多い。また、逆洗は一日に１回から３回程度で、１回当り５分から２０分程行なわれるのが一般的である。逆洗状態に切り替える回数、時刻、及び逆洗状態を維持する時間などの設定値は浄化槽ごとに予め決められており、浄化槽用エアポンプは基本的には浄化槽に合わせた規定の設定値で動作するように設定されている必要がある。そのため、特許文献１及び２に示す浄化槽用エアポンプにおいては、逆洗状態に切り替える時刻及び曝気状態に戻す時刻を接続する浄化槽に合せて任意に設定変更できるようになっている。または別の浄化槽用エアポンプにおいては、いくつかの代表的な浄化槽に合わせた複数の設定値をメモリに記憶していて、接続する浄化槽に合わせて設定値を適宜選択して設定値を変更するようにしたものもある。
【先行技術文献】
【特許文献】
【０００４】
【特許文献１】特開２０００−３１２８９２号公報
【特許文献２】特開２００１−３１７４６９号公報
【発明の概要】
【発明が解決しようとする課題】
【０００５】
多くの場合には浄化槽に定められた規定の設定値に基づいて逆洗を行なえば十分であるが、住人の生活パターンが夜型であり深夜の生活排水の量が多い場合や、排水の量や質によっては、逆洗を行なう回数、時刻、又は時間を規定値から変更した方が良いことがある。特許文献１及び２に示すように設定値を任意に設定できるものにおいては、一度設定をしてしまえばその条件をもとに一部の条件を後で変更することは比較的に容易である。しかしながら、最初の設定時には浄化槽に合せて全ての設定値を入力する必要があって繁雑であるし、また入力する際のミスも生じ易い。一方で、予めいくつかの設定値が記憶されているものにおいては、最初の設定時には浄化槽に合せて設定を選択するだけであるため設定作業が容易であるしミスも生じにくいが、設定値を変更する際には記憶されている設定値の中から変更したい値に一番近い設定を選択するしかなく、ちょうど良い設定値に変更できない場合がある。
【０００６】
そこで本発明は、浄化槽に合わせた曝気状態から逆洗状態への切り替えの設定値の初期設定が容易であり且つ後から設定値の一部を任意の値に容易に変更することも可能とされたエアポンプ制御装置、及びそれを備える浄化槽用エアポンプを提供することを目的とする。
【課題を解決するための手段】
【０００７】
すなわち本発明は、
曝気用吐出口及び逆洗用吐出口を有し、該曝気用吐出口から空気を吐出する曝気状態と該逆洗用吐出口から空気を吐出する逆洗状態とを切り替え可能とされた浄化槽用エアポンプを制御するためのエアポンプ制御装置であって、
浄化槽用エアポンプの曝気状態と逆洗状態との切替条件を決める複数のプログラムを記憶している記憶手段であって、各プログラムがそれぞれ異なる浄化槽に対応付けられ、各プロブラムの設定値が対応付けられた浄化槽に合わせた規定値にそれぞれ予め設定されていて、該複数のプログラムには予め設定されていた設定値を変更することができる複数の可変プログラムが含まれる、記憶手段と、
各可変プログラムにおける該設定値のうちの曝気状態から逆洗状態に切り替える時刻を設定するための時刻設定値及び逆洗状態を維持する時間を設定するための時間設定値を変更する設定変更手段と、
該記憶手段に記憶されている該複数のプログラムの中から任意のプログラムを選択するプログラム選択手段と、
該プログラム選択手段によって選択されたプログラムに従って曝気状態と逆洗状態とを切り替えるように浄化槽用エアポンプを制御する制御手段と、
を備える、エアポンプ制御装置を提供する。
【０００８】
当該エアポンプ制御装置においては、接続する浄化槽に対応したプログラムを選択するだけで設定値の初期設定を完了することができるため、設定値の初期設定を容易に行なうことが可能である。また同時に、後から設定値を変更したい場合にそのときに設定されている設定値をもとにして時刻設定値又は時間設定値を変更することができ、全ての設定値を最初から入力し直す必要がないため、設定変更を容易に行なうことも可能となる。
【０００９】
また、各可変プログラムにおける該設定値のうちの曝気状態から逆洗状態に切り替える１日あたりの回数を設定するための回数設定値が、該設定変更手段によって変更可能とすることができる。
【００１０】
さらに、該複数のプログラムには、設定値が固定されていて予め設定されている規定値から変更できないようにされた少なくとも１つの固定プログラムが含まれるようにすることもできる。
【００１１】
好ましくは、該設定変更手段によって変更された該複数の可変プログラムの該設定値を予め設定されていた規定値に戻すリセット手段をさらに備えるようにすることができる。
【００１２】
さらに本発明は、曝気用吐出口及び逆洗用吐出口を有し、該曝気用吐出口から空気を吐出する曝気状態と該逆洗用吐出口から空気を吐出する逆洗状態とを切り替え可能とされた浄化槽用エアポンプであって、上述のエアポンプ制御装置を備える、浄化槽用エアポンプを提供する。
【００１３】
以下、本発明に係る浄化槽用エアポンプ及びエアポンプ制御装置の実施形態を添付図面に基づき説明する。
【図面の簡単な説明】
【００１４】
【図１】本発明の一実施形態に係る浄化槽用エアポンプの側面図である。
【図２】図１の浄化槽用エアポンプの上面図であり、内部に配置されたエアポンプ制御装置が見える様に上部カバーの一部を省略した図である。
【図３】図１の浄化槽用エアポンプを制御するためのエアポンプ制御装置の操作部を示す図である。
【図４】エアポンプ制御装置の機能ブロック図である。
【図５】エアポンプ制御装置のメモリに予め記憶されているプログラムの設定値を示す表である。
【発明を実施するための形態】
【００１５】
本発明の一実施形態に係る浄化槽用エアポンプ１は、図１及び図２に示すように、曝気用吐出口２と逆洗用吐出口３とを有し、曝気用吐出口２から空気を吐出する曝気状態と、逆洗用吐出口３から空気を吐出する逆洗状態とを自動的に切り替え可能とされている。具体的には、浄化槽用エアポンプ１のケーシング４内に配置されている流路切替弁５（図４）により空気流路を切り替えることにより曝気状態と逆洗状態とを切り替えるようにされている。
【００１６】
ケーシング４内には浄化槽用エアポンプ１を制御するためのエアポンプ制御装置１０（図４）が取り付けられている。エアポンプ制御装置１０は通常動作時には上部カバー６によって覆われて雨風から保護されているが、上部カバー６を固定するネジ７を外し上部カバー６をケーシング４から外すことにより、操作部１２が露呈して操作することが可能となる。
【００１７】
エアポンプ制御装置１０は、図３及び図４に示すように、液晶表示部１４と各種操作ボタンボタン２０−３０とを有する操作部１２（設定変更手段、プログラム選択手段、リセット手段）、後述する複数のプログラムを記憶しているメモリ（記憶手段）１６、及び浄化槽用エアポンプ１の流路切替弁５を制御するＣＰＵ（制御手段）１８を備える。メモリ１６には図５に示す複数のプログラムＰ０１−Ｐ１８が予め記憶されている。各プログラムＰ０１−Ｐ１８は、当該浄化槽用エアポンプ１が接続される代表的な浄化槽において推奨される曝気状態と逆洗状態との切替条件を決める設定値が予め設定されている。この設定値には、１日あたりの逆洗回数を設定する回数設定値、逆洗状態を維持する逆洗時間を設定するための時間設定値、及び曝気状態から逆洗状態に切り替える逆洗時刻を設定するための時刻設定値が含まれる。複数のプログラムＰ０１−Ｐ１８のうち、Ｐ０１−Ｐ０４は、回数設定値、時間設定値、及び時刻設定値が変更可能とされた可変プログラムであり、残りのＰ０５−Ｐ１８は設定値が固定されていて予め設定されている規定値から変更ができない固定プログラムとなっている。
【００１８】
当該浄化槽用エアポンプ１を（図示しない）外部電源に接続すると、複数のプログラムのうちの選択されているプログラムに従って駆動が開始される。なお、初期設定においてはプログラムＰ１が選択されている。プログラムＰ１が選択されているときには、図５に示すＰ０１の設定値に従って、２時になると流路切替弁５が作動して流路を切り替えて逆洗用吐出口３から空気が吐出される逆洗状態となり、それから５分経過すると再び流路切替弁５が作動して流路を切り替えて曝気用吐出口２から空気が吐出される曝気状態に戻る。３時になると同様にして曝気状態と逆洗状態の切り替え動作が行なわれる。このような動作が毎日行なわれる。
【００１９】
選択されたプログラムに従って浄化槽用エアポンプ１が駆動される自動運転モードとなっているときに、エアポンプ制御装置１０の操作部１２の設定ボタン２０を押すと現在時刻設定モードに移行し、時ボタン２２及び分ボタン２４を操作して現在時刻を設定可能な状態となる。現在時刻設定モードにおいて更に設定ボタン２０を押すと液晶表示部１４に表示されていた設定時刻が現在時刻として設定され、次に左右送気設定モードに移行する。初期状態においては操作部１２の「送気方向」の「右」の標記の下の位置において黒丸マークＭ１が点滅し、２つの吐出口２、３のうちの向かって右側（図２で見て上側）の吐出口２が曝気用の吐出口となり、左側（図２で見て下側）の吐出口３が逆洗用の吐出口となっている。このときに手動切替ボタン２６を押すと操作部１２の「左」の標記の下の位置において液晶表示部１４の白丸マークＭ２が点滅し、左側の吐出口３が曝気用の吐出口となり、右側の吐出口２が逆洗用の吐出口となる。このように当該浄化槽用エアポンプ１においては、２つの吐出口２、３のうち、どちらを曝気用とし、どちらを逆洗用とするかを設定変更することができるようになっている。設定ボタン２０を押すと、曝気用の吐出口が設定され、次にプログラム設定モードに移行する。
【００２０】
プログラム設定モードに移行すると、操作部１２の「プログラム」の標記の右側の位置にある黒三角マークＭ３が点滅するとともに、そのときに選択されているプログラム番号が液晶表示部１４に表示される。例えばプログラムＰ０１が選択されているときには液晶表示部１４には「Ｐ：０１」と表示される。プログラムボタン２８を押す度に表示されるプログラム番号が順次変更される。可変プログラムであるＰ０１−Ｐ０４が表示されている状態では、設定ボタン２０を３秒以上長押しすると表示されているプログラムが選択されてプログラム設定モードが終了し、選択されたプログラムに従って浄化槽用エアポンプ１を駆動する自動運転モードに移行する。また、固定プログラムであるＰ０５−Ｐ１８が表示されている状態では、設定ボタン２０を押すと表示されているプログラムが選択されてプログラム設定モードが終了し、自動運転モードに移行する。可変プログラムであるＰ０１−Ｐ０４が表示されている状態で設定ボタン２０を３秒未満の短い時間だけ押すと、逆洗回数設定モードに移行する。
【００２１】
逆洗回数設定モードに移行すると、液晶表示部１４において、操作部１２の「逆洗回数」の標記の右側の黒三角マークＭ４が点滅し、液晶表示部１４の左下には選択されている可変プログラムにおける逆洗回数設定値に応じて「１」マークＭ５及び「２」マークＭ６が表示される。具体的には、逆洗回数設定値が１の時には「１」マークＭ５のみが表示され、２の時には「２」マークＭ６のみが表示され、３の時には「１」マークＭ５と「２」マークＭ６の両方が表示され、４の時には「１」マークＭ５と「２」マークＭ６のいずれも表示されない。回数ボタン３０を押す毎に逆洗回数が１回から４回の間で変更され、それに伴い液晶表示部１４の表示も変更される。任意の逆洗回数が表示されている状態で設定ボタン２０を押すと、選択されているプログラムの逆洗回数設定値がその回数に上書きされ、次に逆洗開始時刻設定モードに移行する。
【００２２】
逆洗開始時刻設定モードに移行すると、液晶表示部１４において、操作部１２の「開始時刻」の標記の左側の黒三角マークＭ７が点滅し、液晶表示部１４には選択されている可変プログラムにおける１回目の逆洗に対する時刻設定値が表示される。時ボタン２２及び分ボタン２４により液晶表示部１４に表示される時刻を任意の時刻に変更して設定ボタン２０を押すと、選択されているプログラムの時刻設定値がその時刻に上書きされ、次に逆洗時間設定モードに移行する。
【００２３】
逆洗時間設定モードに移行すると、液晶表示部１４において、操作部１２の「逆洗時間」の標記の左側の黒三角マークＭ８が点滅し、液晶表示部１４には選択されている可変プログラムにおける１回目の逆洗に対する時間設定値が表示される。分ボタン２４により液晶表示部１４に表示される時間を任意の時間に変更して設定ボタン２０を押すと、その時間が選択されているプログラムの時間設定値がその時間に上書きされる。なお、時ボタン２２はこのとき無効化されている。続いて２回目から４回目の逆洗に対する時刻設定値及び時間設定値の設定が同様に行なわれる。４回目の逆洗に対する時間設定モードにおいて設定ボタン２０を押すと、自動運転モードに戻る。
【００２４】
自動運転モード中は、液晶表示部１４には、２つの吐出口２、３のうちのどちらが曝気用の吐出口として設定されているかを示す黒丸マークＭ１と白丸マークＭ２、及び逆洗回数設定値を示す「１」マークＭ５と「２」マークＭ６が、それぞれの設定に合わせて表示されるとともに、現在時刻も表示された状態となる。なお、逆洗回数設定値が１２回であるプログラムＰ１７又は２４回であるプログラムＰ１８が選択されている場合には、逆洗回数設定値が４回に設定されているときと同様に「１」マークＭ５と「２」マークＭ６のいずれも表示されない。
【００２５】
上述のように設定ボタン２０を押す毎に、自動運転モードから、現在時刻設定モード、左右送気設定モード、プログラム設定モード等へと順次移行していくようになっているが、自動運転モードにおいて設定ボタン２０を３秒以上長押しすると、自動運転モードからプログラム設定モードへと直接移行する。また、自動運転モード及び後述する手動運転モード以外のモードのときに設定ボタン２０を３秒以上長押しすると、その後のモードを飛ばして自動運転モードに直接移行する。このようにすることにより、プログラムの選択及び設定値の変更作業を素早く行なうことが可能となる。
【００２６】
自動運転モードにおいて手動切替ボタン２６を押すと手動逆洗モードとなり、浄化槽用エアポンプ１は強制的に逆洗状態となる。手動逆洗モード中に手動切替ボタン２６を押すか又は手動逆洗モードに移行してから１０分が経過すると、手動逆洗モードが終了し自動運転モードに戻る。なお、手動逆洗モード中に設定ボタン２０を３秒以上長押しした後に回数ボタン３０を押すことにより、手動運転の時間を１０分から、６時間、１２時間、又は１６８時間に変更することができる。
【００２７】
プログラムボタン２８と設定ボタン２０とを同時に押すと、全ての設定値が初期値にリセットされる。このリセット操作は何れのモードにおいても有効となっている。なお当該実施形態においては現在時刻を含め全ての設定が初期化されるようになっているが、可変プログラムの設定値の全て又は一部のみを予め設定されていた規定値に戻すようにしてもよい。
【００２８】
このように、当該浄化槽用エアポンプ１においては、複数のプログラムがそれぞれ代表的な浄化槽に対応付けられ、各プログラムの設定値が対応付けられた浄化槽に合わせた規定値にそれぞれ予め設定されていて、接続する浄化槽に合せてプログラムを選択するだけで設定値の初期設定を完了することができる。また、設定したプログラムにおける回数設定値、時刻設定値、及び時間設定値を個別に変更することが出来るようになっているので、設定の一部を変更することも容易となる。
【００２９】
以上に本発明の実施形態について説明をしたが、本発明はこの実施形態に限定されるものではない。例えば、エアポンプ制御装置を浄化槽用エアポンプとは別体として、ケーブル等により浄化槽用エアポンプに接続するようにしてもよい。またエアポンプ制御装置１０のＣＰＵ（制御手段）とメモリ（記憶手段）は浄化槽用エアポンプに内蔵し、操作部は別体として必要なときにだけ有線又は無線で互いに通信するようにしてもよい。さらには、複数のプログラムの全てを設定変更可能な可変プログラムとしてもよい。なお、上記実施形態のエアポンプ制御装置１０には備えられていないが、現在時刻と選択されているプログラムの番号とを一定の時間（例えば３秒）毎に交互に液晶表示部に表示するようにしたり、設定されている設定値を単に表示するだけのモードを有するようにしたり、又は浄化槽用エアポンプの積算稼働時間を記憶しそれを表示できるようにしたりするようにしても良い。
【符号の説明】
【００３０】
浄化槽用エアポンプ１；  曝気用吐出口２；  逆洗用吐出口３；  ケーシング４；  流路切替弁５；  上部カバー６；  ネジ７；
エアポンプ制御装置１０；  操作部（設定変更手段、プログラム選択手段、リセット手段）１２；  液晶表示部１４；  メモリ（記憶手段）１６；  ＣＰＵ（制御手段）１８；  設定ボタン２０；  時ボタン２２；  分ボタン２４；  手動切替ボタン２６；  プログラムボタン２８；  回数ボタン３０；  
黒丸マークＭ１；  白丸マークＭ２；  黒三角マークＭ３；  黒三角マークＭ４；  「１」マークＭ５；  「２」マークＭ６；  黒三角マークＭ７；  黒三角マークＭ８
【図１】
2019013884.tif 000003
【図２】
2019013884.tif 000004
【図３】
2019013884.tif 000005
【図４】
2019013884.tif 000006
【図５】
2019013884.tif 000007